(57)【要約】【課題】発信者であるユーザが自己の識別情報を記憶していなくても、発信者を着信側端末に通知することが可能で利便性が高い通信システムおよび通信端末装置を提供する。【解決手段】予め加入者識別情報およびパスワードが含まれる二次元バーコード１０９をカメラ部１０１を通じて入力し、認証処理部１０２が二次元バーコード１０９を解読する。上記制御部１０８は、ユーザから入力部１０６を通じて入力されるパスワードが、認証処理部１０２によって解読されたパスワードと一致する場合に、認証処理部１０２によって解読された加入者識別情報を用いた発信を行い、上記加入者識別情報を着信側に通知するようにしたものである。【選択図】      図２
2006101036.tif 000002
【特許請求の範囲】
【請求項１】
複数の通信端末装置をネットワークを通じて収容し、発信要求を行った第１の通信端末装置を、この第１の通信端末装置が指定する第２の通信端末装置に交換接続する接続装置を備える通信システムにおいて、
前記第１の通信端末装置は、
発信者を識別するための発信者識別情報を入力する入力手段と、
前記第１の通信端末装置に割り当てられた端末識別情報を記憶する記憶手段と、
発信時に、前記入力手段を通じて入力された発信者識別情報と、前記記憶手段が記憶する端末識別情報とを送信する送信手段とを備え、
前記接続装置は、
前記第１の通信端末装置が発信時に送信した前記発信者識別情報と前記端末識別情報を受信する受信手段と、
この受信手段が受信した前記発信者識別情報と前記端末識別情報を、着信を報知する信号とともに、前記第１の通信端末装置が指定する第２の通信端末装置に送信する送信手段とを備えることを特徴とする通信システム。
【請求項２】
前記第２の通信端末装置は、
着信時に、前記接続装置から送信される前記発信者識別情報と前記端末識別情報を受信する受信手段と、
この受信手段が受信した前記発信者識別情報と前記端末識別情報を、着信時に表示する表示手段とを備えることを特徴とする請求項１に記載の通信システム。
【請求項３】
ネットワークを通じて、指定した通信相手と通信する通信端末装置において、
発信者を識別するための発信者識別情報を入力する入力手段と、
当該通信端末装置に割り当てられた端末識別情報を記憶する記憶手段と、
発信時に、前記入力手段を通じて入力された発信者識別情報と、前記記憶手段が記憶する端末識別情報とを送信する送信手段とを具備することを特徴とする通信端末装置。
【請求項４】
複数の通信端末装置をネットワークを通じて収容し、発信要求を行った第１の通信端末装置を、この第１の通信端末装置が指定する第２の通信端末装置に交換接続する接続装置を備える通信システムにおいて、
前記第１の通信端末装置は、
発信者を識別するための発信者識別情報とパスワードとを含み暗号化された情報を入力する入力手段と、
パスワードの入力を受け付けるパスワード入力手段と、
前記入力手段を通じて入力された情報に含まれるパスワードと、前記パスワード入力手段を通じて入力されたパスワードとが一致する場合に、発信時に前記入力手段を通じて入力された情報に含まれる発信者識別情報を送信する送信手段とを備え、
前記接続装置は、
前記第１の通信端末装置が発信時に送信した前記発信者識別情報を受信する受信手段と、
この受信手段が受信した前記発信者識別情報を、着信を報知する信号とともに、前記第１の通信端末装置が指定する第２の通信端末装置に送信する送信手段とを備えることを特徴とする通信システム。
【請求項５】
前記第１の通信端末装置は、
さらに、前記第１の通信端末装置に割り当てられた端末識別情報を記憶する記憶手段を備え、
前記送信手段は、前記入力手段を通じて入力された情報に含まれるパスワードと、前記パスワード入力手段を通じて入力されたパスワードとが一致する場合に、発信時に前記入力手段を通じて入力された情報に含まれる発信者識別情報と、前記記憶手段が記憶する端末識別情報とを送信することを特徴とする請求項４に記載の通信システム。
【請求項６】
ネットワークを通じて、指定した通信相手と通信する通信端末装置において、
発信者を識別するための発信者識別情報とパスワードとを含み暗号化された情報を入力する入力手段と、
パスワードの入力を受け付けるパスワード入力手段と、
前記入力手段を通じて入力された情報に含まれるパスワードと、前記パスワード入力手段を通じて入力されたパスワードとが一致する場合に、発信時に前記入力手段を通じて入力された情報に含まれる発信者識別情報を送信する送信手段とを具備することを特徴とする通信端末装置。
【請求項７】
さらに、当該通信端末装置に割り当てられた端末識別情報を記憶する記憶手段を備え、
前記送信手段は、前記入力手段を通じて入力された情報に含まれるパスワードと、前記パスワード入力手段を通じて入力されたパスワードとが一致する場合に、発信時に前記入力手段を通じて入力された情報に含まれる発信者識別情報と、前記記憶手段が記憶する端末識別情報とを送信することを特徴とする請求項６に記載の通信端末装置。
【請求項８】
複数の通信端末装置をネットワークを通じて収容し、発信要求を行った第１の通信端末装置を、この第１の通信端末装置が指定する第２の通信端末装置に交換接続する接続装置を備える通信システムにおいて、
前記第１の通信端末装置は、
発信者を識別するための発信者識別情報とバイオメトリック情報とを含み暗号化された情報を入力する入力手段と、
バイオメトリック情報の入力を受け付けるバイオメトリック情報入力手段と、
前記入力手段を通じて入力された情報に含まれるバイオメトリック情報と、前記バイオメトリック情報入力手段を通じて入力されたバイオメトリック情報とが一致する場合に、発信時に前記入力手段を通じて入力された情報に含まれる発信者識別情報を送信する送信手段とを備え、
前記接続装置は、
前記第１の通信端末装置が発信時に送信した前記発信者識別情報を受信する受信手段と、
この受信手段が受信した前記発信者識別情報を、着信を報知する信号とともに、前記第１の通信端末装置が指定する第２の通信端末装置に送信する送信手段とを備えることを特徴とする通信システム。
【請求項９】
前記第１の通信端末装置は、
さらに、前記第１の通信端末装置に割り当てられた端末識別情報を記憶する記憶手段を備え、
前記送信手段は、前記入力手段を通じて入力された情報に含まれるバイオメトリック情報と、前記バイオメトリック情報入力手段を通じて入力されたバイオメトリック情報とが一致する場合に、発信時に前記入力手段を通じて入力された情報に含まれる発信者識別情報と、前記記憶手段が記憶する端末識別情報とを送信することを特徴とする請求項８に記載の通信システム。
【請求項１０】
ネットワークを通じて、指定した通信相手と通信する通信端末装置において、
発信者を識別するための発信者識別情報とバイオメトリック情報とを含み暗号化された情報を入力する入力手段と、
バイオメトリック情報の入力を受け付けるバイオメトリック情報入力手段と、
前記入力手段を通じて入力された情報に含まれるバイオメトリック情報と、前記バイオメトリック情報入力手段を通じて入力されたバイオメトリック情報とが一致する場合に、発信時に前記入力手段を通じて入力された情報に含まれる発信者識別情報を送信する送信手段とを具備することを特徴とする通信端末装置。
【請求項１１】
さらに、当該通信端末装置に割り当てられた端末識別情報を記憶する記憶手段を備え、
前記送信手段は、前記入力手段を通じて入力された情報に含まれるバイオメトリック情報と、前記バイオメトリック情報入力手段を通じて入力されたバイオメトリック情報とが一致する場合に、発信時に前記入力手段を通じて入力された情報に含まれる発信者識別情報と、前記記憶手段が記憶する端末識別情報とを送信することを特徴とする請求項１０に記載の通信端末装置。
【請求項１２】
複数の通信端末装置をネットワークを通じて収容し、発信要求を行った通信端末装置を、この通信端末装置が指定する通信端末装置に交換接続する接続装置を備える通信システムにおいて、
前記発信要求を行った通信端末装置は、
発信者を識別するための発信者識別情報を入力する入力手段と、
発信時に、前記入力手段を通じて入力された発信者識別情報を送信する送信手段とを備え、
前記接続装置は、
前記発信要求を行った通信端末装置が発信時に送信した前記発信者識別情報を受信する受信手段と、
この受信手段が受信した前記発信者識別情報に基づいて、前記発信者に対する課金を行う課金手段とを備えることを特徴とする通信システム。
【請求項１３】
複数の通信端末装置をネットワークを通じて収容し、発信要求を行った通信端末装置を、この通信端末装置が指定する通信端末装置に交換接続する接続装置を備える通信システムにおいて、
前記発信要求を行った通信端末装置は、
発信者を識別するための発信者識別情報とパスワードとを含み暗号化された情報を入力する入力手段と、
パスワードの入力を受け付けるパスワード入力手段と、
当該通信端末装置に割り当てられた端末識別情報を記憶する記憶手段と、
前記入力手段を通じて入力された情報に含まれるパスワードと、前記パスワード入力手段を通じて入力されたパスワードとが一致する場合に、発信時に前記入力手段を通じて入力された情報に含まれる発信者識別情報と前記記憶手段が記憶する端末識別情報とを送信し、一方、パスワードが一致しない場合には、発信時に前記記憶手段が記憶する端末識別情報を送信する送信手段とを備え、
前記接続装置は、
前記発信要求を行った通信端末装置が発信時に送信した前記発信者識別情報と前記端末識別情報を受信する受信手段と、
この受信手段が前記発信者識別情報と前記端末識別情報とを受信した場合には、前記発信者識別情報に基づいて前記発信者に対する課金を行い、一方、前記受信手段が前記発信者識別情報を受信せず前記端末識別情報を受信した場合には、前記端末識別情報に基づいて前記通信端末装置に対する課金を行う課金手段とを備えることを特徴とする通信システム。
【請求項１４】
複数の通信端末装置をネットワークを通じて収容し、発信要求を行った通信端末装置を、この通信端末装置が指定する通信端末装置に交換接続する接続装置を備える通信システムにおいて、
前記発信要求を行った通信端末装置は、
発信者を識別するための発信者識別情報とバイオメトリック情報とを含み暗号化された情報を入力する入力手段と、
バイオメトリック情報の入力を受け付けるバイオメトリック情報入力手段と、
当該通信端末装置に割り当てられた端末識別情報を記憶する記憶手段と、
前記入力手段を通じて入力された情報に含まれるバイオメトリック情報と、前記バイオメトリック情報入力手段を通じて入力されたバイオメトリック情報とが一致する場合に、発信時に前記入力手段を通じて入力された情報に含まれる発信者識別情報と前記記憶手段が記憶する端末識別情報とを送信し、一方、バイオメトリック情報が一致しない場合には、発信時に前記記憶手段が記憶する端末識別情報を送信する送信手段とを備え、
前記接続装置は、
前記発信要求を行った通信端末装置が発信時に送信した前記発信者識別情報と前記端末識別情報を受信する受信手段と、
この受信手段が前記発信者識別情報と前記端末識別情報とを受信した場合には、前記発信者識別情報に基づいて前記発信者に対する課金を行い、一方、前記受信手段が前記発信者識別情報を受信せず前記端末識別情報を受信した場合には、前記端末識別情報に基づいて前記通信端末装置に対する課金を行う課金手段とを備えることを特徴とする通信システム。
【発明の詳細な説明】
【技術分野】
【０００１】
この発明は、例えば携帯電話システムやＰＨＳ（Personal Handyphone System）、有線網を通じた通信システムに関する。
【背景技術】
【０００２】
周知のように、固定電話機および携帯電話機は、発信側端末に割り当てられた発信者番号が着信側端末に通知される。着信側端末では、予め発信者番号と名前を対応づけて電話帳データとして記憶しておき、着信時に通知される発信者番号と、上記電話帳データを照合して、対応する名前を表示部に表示して、ユーザに発信者が誰であるかを通知するようにしている。
【０００３】
しかしながら、発信側端末が所有者以外の第三者に貸し渡されて利用される場合であっても、着信側端末では第三者の名前は表示されず、発信側端末の発信者番号や発信側端末の所有者名が表示され（ただし、着信側端末に発信側端末について電話帳データ登録している場合）、着信側は真の発信者を認識することができない。
【０００４】
これに対して従来は、システムにＩＤセンタを設け、ここに端末に割り当てた番号（発信者番号）ではなく、加入者ＩＤを登録しておく。そして、特番発信によりＩＤセンタに接続し、ＩＤセンタを通じて所望の相手に発信することで、着信側端末に発信者を識別する情報を通知するようにしている（例えば、特許文献１参照）。
【０００５】
しかしながら、この手法では、発信するユーザが加入者ＩＤを記憶しておく必要があるという問題や、発信者を特定する情報しか着信側に通知できないという問題があり、利便性が低かった。
【特許文献１】特開２０００−０８３０９７公報
【発明の開示】
【発明が解決しようとする課題】
【０００６】
従来の通信システムでは、発信者を識別する情報を着信側に通知する場合、発信するユーザが加入者ＩＤを記憶しておく必要があるという問題や、発信者を特定する情報しか着信側に通知できないという問題があり、利便性が低かった。
【０００７】
この発明は上記の問題を解決すべくなされたもので、発信者であるユーザが自己の識別情報を記憶していなくても、発信者を特定する情報を着信側端末に通知することが可能で、また発信を行った端末の識別情報も併せて通知することが可能で、利便性が高い通信システムおよび通信端末装置を提供することを目的とする。
【課題を解決するための手段】
【０００８】
上記の目的を達成するために、この発明は、複数の通信端末装置をネットワークを通じて収容し、発信要求を行った第１の通信端末装置を、この第１の通信端末装置が指定する第２の通信端末装置に交換接続する接続装置を備える通信システムにおいて、第１の通信端末装置は、発信者を識別するための発信者識別情報を入力する入力手段と、第１の通信端末装置に割り当てられた端末識別情報を記憶する記憶手段と、発信時に、入力手段を通じて入力された発信者識別情報と、記憶手段が記憶する端末識別情報とを送信する送信手段とを備え、接続装置は、第１の通信端末装置が発信時に送信した発信者識別情報と端末識別情報を受信する受信手段と、この受信手段が受信した発信者識別情報と端末識別情報を、着信を報知する信号とともに、第１の通信端末装置が指定する第２の通信端末装置に送信する送信手段とを具備して構成するようにした。
【発明の効果】
【０００９】
以上述べたように、この発明では、発信要求を行った第１の通信端末装置は、この端末装置に割り当てられた端末識別情報と、発信者の識別情報とを発信時に送信し、接続装置は、第１の通信端末装置から通知された発信者識別情報および端末識別情報を、着信側の第２の通信端末装置に送信して、着信を報知するようにしている。
【００１０】
したがって、この発明によれば、発信側の通信端末装置のユーザは、自己の識別情報を入力しなくても、着信側の通信端末装置に、発信側の端末識別情報と発信者の識別情報を着信時に報知できる。このため、発信者であるユーザが自己の識別情報を記憶していなくても、発信者を特定する情報を着信側端末に通知することが可能で、また発信を行った端末の識別情報も併せて通知することが可能で、利便性が高い。
【発明を実施するための最良の形態】
【００１１】
以下、図面を参照して、この発明の一実施形態について説明する。図１は、この発明の一実施形態に係わる通信システムの構成を示すものである。なお、ここでは移動通信システムを例に挙げて説明する。
【００１２】
この移動通信システムは、発信側の携帯電話機２１０ａと、この携帯電話機２１０ａと無線接続される基地局２２０ａと、この基地局２２０ａを収容する交換機２３０ａと、着信側の携帯電話機２１０ｂと、この携帯電話機２１０ｂと無線接続される基地局２２０ｂと、この基地局２２０ｂを収容する交換機２３０ｂと、当該システムの利用料金を管理する課金サーバ２５０と、上記交換機２３０ａ，２３０ｂおよび課金サーバ２５０を収容するネットワーク２４０とを備えている。
【００１３】
図２に、発信側の携帯電話機２１０ａの構成を示す。なお、着信側の携帯電話機２１０ｂの構成も、携帯電話機２１０ａと同様であるものとする。  
携帯電話機２１０ａは、カメラ部１０１と、認証処理部１０２と、記憶部１０３と、表示部１０４と、無線部１０５と、入力部１０６と、通話部１０７と、制御部１０８とを備える。
【００１４】
カメラ部１０１は、人物や風景などを撮像可能であるとともに、二次元バーコード１０９を撮像することが可能な撮像手段である。またカメラ部１０１は、撮像した画像を所定の形式の画像データに変換する機能を備える。
【００１５】
二次元バーコード１０９は、サービス加入者毎に固有に割り当てられたものであって、サービス加入者を識別する加入者識別情報と、この加入者識別情報に対応づけられたパスワード情報とが暗号化されたものである。
【００１６】
この二次元バーコード１０９は、予めサービス加入者に対して配布される。ここで上記加入者識別情報としては、例えばクレジットカード番号などが考えられ、クレジットカードの裏面などに印刷しておいてもよい。
【００１７】
認証処理部１０２は、カメラ部１０１によって得られた画像データが入力され、その画像データが二次元バーコード１０９である場合に、これを解読して、加入者番号とパスワードを得る機能や、後述する入力部１０６を通じて入力された情報と上記パスワードが一致するかを検証する機能などを備える。
【００１８】
記憶部１０３は、当該携帯電話機２１０ａに割り当てられる電話番号（発信者番号）や、電話番号と名前などを対応づけた電話帳データ、認証処理部１０２によって解読された加入者番号、後述する制御部１０８の制御プログラムや制御データなどを記憶する。
【００１９】
表示部１０４は、文字や映像などを視覚的に表示可能なもので、例えばＬＣＤ（Liquid Crystal Display）などからなる。  
無線部１０５は、入力される音声データを基地局２２０ａに無線送信するとともに、基地局２２０ａから音声データを受信する。  
入力部１０６は、複数のキースイッチなどを備えたもので、ユーザからの要求を受け付けるものである。
【００２０】
通話部１０７は、マイクロホンとスピーカを備えたもので、マイクロホンを通じて入力される送話音声を上記音声データに変換するとともに、基地局２２０ａを通じて通話相手から受信した音声データを復号してスピーカより拡声出力する。
【００２１】
制御部１０８は、当該携帯電話機２１０ａの各部を統括して制御するものであって、電源が投入されると、上記記憶部１０３から制御プログラムおよび制御データを読み込んで、発信制御、受信した発呼データに応じた着信制御、通話制御、表示部１０４の表示制御、入力部１０６を通じて入力制御、記憶部１０３に対する情報の記録／読み出し制御、カメラ部１０１を通じた撮像制御、認証処理部１０２を制御して発信者指定発信に関わる制御など、種々の制御を行う。
【００２２】
次に、上記構成の移動通信システムの動作について説明する。  
図３は、当該移動通信システムの動作を説明するためのフローチャートである。以下、この図を参照して説明する。
【００２３】
まず携帯電話機２１０ａにおいて、ユーザが入力部１０６を通じて、特定のファンクションキーを操作するなどして、発信者指定発信を要求する（ステップ３０１）。これを受け付けた制御部１０８は、カメラ部１０１および認証処理部１０２を起動し、ステップ３０２に移行する。
【００２４】
ステップ３０２において制御部１０８は、表示部１０４に「二次元バーコードを撮影してください」等の表示を行って、ユーザに二次元バーコード１０９の撮影を促す。ユーザが入力部１０６を操作して、カメラ部１０１によって二次元バーコード１０９を撮影すると、カメラ部１０１は撮影によって得た画像データを認証処理部１０２に出力し、ステップ３０３に移行する。
【００２５】
ステップ３０３において制御部１０８は、認証処理部１０２に対して画像データの解読を指示する。これに対して認証処理部１０２は、上記画像データに含まれる二次元バーコード１０９を解読し、パスワード情報を得る。このようにして得たパスワード情報は、制御部１０８に通知される。
【００２６】
そして、制御部１０８は、表示部１０４に「暗証番号を入力してください」等の表示を行って、ユーザに暗証番号の入力を促し、入力部１０６を通じてユーザから暗証番号の入力を受け付け、ステップ３０４に移行する。
【００２７】
ステップ３０４において制御部１０８は、認証処理部１０２によって得られたパスワード情報と、入力部１０６を通じてユーザから入力されたパスワードが一致するか否かを判定する。ここでパスワードが一致する場合には、ステップ３０６に移行し、一方、一致しない場合には、ステップ３０５に移行する。
【００２８】
ステップ３０５において制御部１０８は、表示部１０４に「暗証番号が一致しません」等の表示を行って、当該処理を終了する。なお、このように一度の入力失敗で処理を終了するのではなく、例えば３回までの失敗を許容し、それ以上失敗すると当該処理を終了するようにしてもよい。
【００２９】
ステップ３０６において制御部１０８は、認証処理部１０２に対して画像データの解読を指示する。これに対して認証処理部１０２は、上記画像データに含まれる二次元バーコード１０９を解読し、サービス加入者を識別する加入者識別情報を得る。このようにして得た加入者識別情報は、制御部１０８に通知され、制御部１０８によって記憶部１０３に記録され、ステップ３０７に移行する。
【００３０】
ステップ３０７において制御部１０８は、表示部１０４に「相手の電話番号を入力してください」等の表示を行って、着信先の電話番号の入力を促す。そして制御部１０８は、入力部１０６を通じてユーザから着信先の電話番号の入力を受け付け、ステップ３０８に移行する。
【００３１】
ステップ３０８において制御部１０８は、無線部１０５を制御して、特番データと、着信先の電話番号と、ステップ３０６で記憶部１０３に記録した加入者識別情報と、当該携帯電話機２１０ａに割り当てられる電話番号（発信者番号）とを含む発呼データを送信して発信を行い、着信側を呼び出して応答を待機する。
【００３２】
これに対して、基地局２２０ａを通じて上記発呼データを受信した交換機２３０ａは、ステップ３０９として、課金サーバ２５０に対して上記発呼データを送信するとともに、上記発呼データに含まれる着信先の電話番号と、ネットワーク２４０上で管理される位置登録情報に基づいて、着信先である携帯電話機２１０ｂが係属する基地局２２０ｂを特定し、交換機２３０ｂおよび基地局２２０ｂを通じて携帯電話機２１０ｂに対して着信を報知する。なお、この着信報知では、携帯電話機２１０ｂに対して上記発呼データを送信する。
【００３３】
これに対して、課金サーバ２５０は、ステップ３０９として、受信した発呼データに特番データが含まれることより、当該発信が発信者指定発信であると判断し、課金対象を発呼データに含まれる発信者番号の加入者ではなく、加入者識別情報に対応する加入者として、課金を行う準備をする。
【００３４】
一方、携帯電話機２１０ｂは、基地局２２０ｂを通じて着信信号を受信すると、ステップ３１０として、制御部１０８が、着信信号から発呼データを抽出し、このデータに特番データが含まれることより、当該着信が発信者指定発信であると判断し、発呼データに含まれる発信者番号と加入者識別情報を抽出する。
【００３５】
そして、携帯電話機２１０ｂの制御部１０８は、呼び出し音を出力するとともに、例えば図４に示すように、上記抽出した発信者番号と加入者識別情報を表示部１０４とを区別できるように表示して、ユーザに着信の発生を報知する。図４では、加入者識別情報として、加入者が利用する携帯電話番号を用いる場合を例として示している。
【００３６】
なお、ここで、予め記憶部１０３に電話帳データとして、上記発信者番号と名前が対応づけられ、また加入者識別情報と名前が対応づけられて記憶される場合には、それぞれ対応する名前を表示部１０４に表示するように制御部１０８は制御を行う。
【００３７】
やがて、携帯電話機２１０ｂのユーザが、入力部１０６を操作して着信に応答する意思を示すと、制御部１０８は、ステップ３１１として、無線部１０５を制御して応答信号を基地局２２０ｂに送信する。
【００３８】
これに対して、交換機２３０ｂ、２３０ａは連携して、それぞれ基地局２２０ｂ、２２０ａを制御して、携帯電話機２１０ａと携帯電話機２１０ｂとの間に通信リンクを確立し、携帯電話機２１０ａと携帯電話機２１０ｂとの間で通話が可能な状態となる（ステップ３１２）。
【００３９】
また課金サーバ２５０は、ステップ３１３として、加入者識別情報に対応する加入者に対する課金を開始する。以後、課金サーバ２５０は、上記通信リンクが切断されるまで、この課金を実施する。また携帯電話機２１０ａは、通話が終了すると、記憶部１０３に記録される加入者識別情報を消去する。
【００４０】
以上のように、上記構成の通信システムでは、予め加入者識別情報およびパスワードが含まれる二次元バーコード１０９をカメラ部１０１を通じて携帯電話機２１０ａに入力し、ユーザから入力されるパスワードが一致する場合に、上記加入者識別情報を用いた発信を行い、上記加入者識別情報を着信側に通知するようにしている。
【００４１】
したがって、上記構成の通信システムによれば、ユーザは加入者識別情報を記憶しなくても、ユーザに割り当てられた加入者識別情報を用いた発信を行って、発信者が誰であるかを通知することができるので、利便性が高い。
【００４２】
また上記構成の通信システムでは、携帯電話機２１０ａより加入者識別情報を用いてなされた発信に対しては、発信した携帯電話機２１０ａの所有者に課金するのではなく、加入者識別情報に対応する加入者に対して課金を行うようにしているので、携帯電話機２１０ａの貸し借りが容易になる。
【００４３】
さらに上記構成の通信システムでは、携帯電話機２１０ａより加入者識別情報を用いて発信を行った場合、着信側の携帯電話機２１０ｂには加入者識別情報と発信した携帯電話機２１０ａの電話番号が通知され、これらの情報を着信側の携帯電話機２１０ｂが着信時に表示するようにしているので、携帯電話機２１０ａのユーザは誰がどの電話機から発信を行っているのか認識することができる。
【００４４】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４５】
その一例として例えば、上記実施の形態では、通信システムの一例として携帯電話システムを例に挙げて説明したが、固定電話機のような有線回線を用いた通信システムにも適用可能であり、またＶｏＩＰ（Voice over Internet Protocol）ネットワークを利用する通信システムにも適用可能である。
【００４６】
また上記実施の形態では、二次元バーコード１０９を例に挙げて説明したが、人間が容易に認識不可能な暗号化された二次元情報であれば、二次元バーコード１０９に限定されるものではない。
【００４７】
さらに上記実施の形態では、二次元バーコード１０９に加入者識別情報とパスワードの各情報を含めるようにしたが、パスワードに変わってユーザのバイオメトリック情報を記憶するようにしてもよい。
【００４８】
バイオメトリック情報としては、ユーザの網膜パターンや虹彩パターンが考えられる。そして、パスワード入力に代わって、カメラ部１０１にてユーザの網膜パターンや虹彩パターンを撮像し、この撮像したパターンと、二次元バーコード１０９に記憶されるバイオメトリック情報が一致するか否かを制御部１０８が判断し、一致する場合に加入者識別情報を用いた発信を行うようにする。
【００４９】
このような制御であっても、同様の効果を奏する。またバイオメトリック情報としては、指紋が考えられる。この場合、カメラ部１０１による指紋撮像も考えられるが、指紋を読み取るための接触型の入力部を設けるようにしてもよい。
【００５０】
また上記実施の形態では、パスワード入力が正しく行われた場合に、二次元バーコード１０９から加入者識別情報を解読するようにしたが、これに代わって例えば、パスワードで加入者情報を暗号化して、この暗号化したものを二次元バーコード化し、入力されたパスワードにより暗号を解いて加入者情報を復元するようにしてもよい。
【００５１】
またパスワードに代わって、上述したようなバイオメトリック情報により暗号化し、入力されたバイオメトリック情報によって暗号を解いて加入者情報を復元するようにしてもよい。
【００５２】
さらに上記実施の形態では、音声通信を例に挙げて説明したが、データ通信にも適用することができる。この場合、通信端末を複数のユーザが共有する場合や、他人から借りた場合に、確実に自己を課金対象とすることができ、通信端末の共有や貸し借りが容易になる。
【００５３】
この場合、通信端末としては、無線ＬＡＮの端末装置が考えられる。無線ＬＡＮ端末の場合には、無線ＬＡＮ端末は無線部１０５の役目を担い、装着されたパーソナルコンピュータなどに備えられるディジタルカメラを上記カメラ部１０１として利用し、入力部１０６はパーソナルコンピュータのキーボードやマウスを利用し、制御部１０８の役目はパーソナルコンピュータのＣＰＵやメモリが担うことで実現できる。また制御プログラムや制御データを記憶する記憶部１０３は、パーソナルコンピュータのハードディスクなどが利用できる。
【００５４】
また上記実施の形態では、着信側となる携帯電話機２１０ｂに対して、加入者情報を通知するようにしたが、これに代わって例えば、ネットワーク２４０上に加入者情報と加入者が利用する電話番号を対応づけたテーブルを記憶するサーバ装置を備え、このサーバ装置が、発信者指定発信については、加入者情報に対応する電話番号を着信側となる携帯電話機２１０ｂに通知するようにしてもよい。
【００５５】
そして上記実施の形態では、加入者識別情報とパスワード（バイオメトリック情報）を含む情報として二次元バーコード１０９を例に挙げて説明したが、人間が容易に認識できないものでカメラ部１０１にて撮像可能な情報であれば、これに限定されるものではない。  
その他、この発明の要旨を逸脱しない範囲で種々の変形を施しても同様に実施可能であることはいうまでもない。
【図面の簡単な説明】
【００５６】
【図１】この発明に係わる通信システムの一実施形態の構成を示す図。
【図２】図１に示した通信通信システムの通信端末装置の構成を示す回路ブロック図。
【図３】図１に示した通信通信システムの動作を説明するためのフローチャート。
【図４】図２に示した通信端末装置の表示部に表示される情報の一例を示す図。
【符号の説明】
【００５７】
１０１…カメラ部、１０２…認証処理部、１０３…記憶部、１０４…表示部、１０５…無線部、１０６…入力部、１０７…通話部、１０８…制御部、１０９…二次元バーコード、２１０ａ，２１０ｂ…携帯電話機、２２０ａ，２２０ｂ…基地局、２３０ａ，２３０ｂ…交換機、２４０…ネットワーク、２５０…課金サーバ。
【図１】
2006101036.tif 000003
【図２】
2006101036.tif 000004
【図３】
2006101036.tif 000005
【図４】
2006101036.tif 000006